(57)【要約】【課題】簡単な構成で、しかも塵埃分離効率を向上させることができる集塵装置およびそれを用いた電気掃除機を提供する。【解決手段】略円筒状の集塵容器と、該集塵容器内部に、当該集塵容器と略同心状に集塵容器の内壁から離間してそれぞれ配設され、外周面に通気孔がそれぞれ形成された第１の筒状部および第２の筒状部とを備え、前記第１の筒状部の内部が、前記集塵容器内部に空気が導入される吸込口に連通しており、前記第２の筒状部の内部が、前記集塵容器から空気を排出するための排気口に連通しており、さらに、前記第１の筒状部と前記集塵容器の内壁とのあいだの空間を通過する空気を、前記第２の筒状部と前記集塵容器の内壁とのあいだに形成されたサイクロン空間内で旋回させるために空気を案内するガイドを備えてなる集塵装置およびそれを用いた電気掃除機。【選択図】　　　　図１
2004129852.tif 000002
【特許請求の範囲】
【請求項１】
略円筒状の集塵容器と、該集塵容器内部に、当該集塵容器と略同心状に集塵容器の内壁から離間してそれぞれ配設され、外周面に通気孔がそれぞれ形成された第１の筒状部および第２の筒状部とを備え、
前記第１の筒状部の内部が、前記集塵容器内部に空気が導入される吸込口に連通しており、
前記第２の筒状部の内部が、前記集塵容器から空気を排出するための排気口に連通しており、
さらに、前記第１の筒状部と前記集塵容器の内壁とのあいだの空間を通過する空気を、前記第２の筒状部と前記集塵容器の内壁とのあいだに形成されたサイクロン空間内で旋回させるために空気を案内するガイドを備えてなる集塵装置。
【請求項２】
前記第１の筒状部内部の空気が、前記第１の筒状部の全周にわたって形成された前記通気孔を通して、前記第１の筒状部と前記集塵容器の内壁とのあいだの空間に放出される請求項１記載の集塵装置。
【請求項３】
前記ガイドが、前記第１の筒状部の外周面に突設されてなる請求項１または２記載の集塵装置。
【請求項４】
請求項１、２または３記載の集塵装置を用いた電気掃除機。
【請求項５】
前記集塵装置が、前記サイクロン空間で発生する旋回流の回転軸がほぼ水平方向に延びるように横置きに配置されてなる請求項４記載の電気掃除機。
【発明の詳細な説明】
【０００１】
【発明の属する技術分野】
本発明は集塵装置およびそれを用いた電気掃除機に関する。さらに詳しくは、構成が簡単で、しかも塵埃分離効率を向上させることができる集塵装置およびそれを用いた電気掃除機に関する。
【０００２】
【従来の技術】
従来より、サイクロン式電気掃除機では、外部からサイクロン空間に導入される塵埃などを含む空気を、サイクロン空間の上流の吸気経路であらかじめ網状のフィルタにより比較的大きな塵埃などを空気から分離してから、サイクロン空間で塵埃と空気との分離を行なう電気掃除機が知られている（たとえば、特許文献１参照）。
【０００３】
【特許文献１】
実公昭４７−９８０６号公報
【０００４】
【発明が解決しようとする課題】
しかし、従来のサイクロン式の電気掃除機の構成では、吸気経路内のフィルタで目詰まりを生じやすいため、良好な掃除を行なうことができない問題がある。また、装置の構造が複雑になるとともにサイクロン空間における旋回流の効率がわるく、良好な塵埃分離能力を得ることができないという問題がある。
【０００５】
本発明はかかる問題を解消するためになされたものであり、簡単な構成で、しかも塵埃分離効率を向上させることができる集塵装置およびそれを用いた電気掃除機を提供することを目的とする。
【０００６】
【課題を解決するための手段】
本発明の集塵装置は、略円筒状の集塵容器と、該集塵容器内部に、当該集塵容器と略同心状に集塵容器の内壁から離間してそれぞれ配設され、外周面に通気孔がそれぞれ形成された第１の筒状部および第２の筒状部とを備え、
前記第１の筒状部の内部が、前記集塵容器内部に空気が導入される吸込口に連通しており、
前記第２の筒状部の内部が、前記集塵容器から空気を排出するための排気口に連通しており、
さらに、前記第１の筒状部と前記集塵容器の内壁とのあいだの空間を通過する空気を、前記第２の筒状部と前記集塵容器の内壁とのあいだに形成されたサイクロン空間内で旋回させるために空気を案内するガイドを備えてなることを特徴とする。
【０００７】
前記第１の筒状部内部の空気が、前記第１の筒状部の全周にわたって形成された前記通気孔を通して、前記第１の筒状部と前記集塵容器の内壁とのあいだの空間に放出されるのが好ましい。
【０００８】
前記ガイドが、前記第１の筒状部の外周面に突設されているのが好ましい。
【０００９】
本発明の電気掃除機は、前記集塵装置を用いたことを特徴としている。
【００１０】
前記集塵装置が、前記サイクロン空間で発生する旋回流の回転軸がほぼ水平方向に延びるように横置きに配置されているのが好ましい。
【００１１】
【発明の実施の形態】
つぎに図面を参照しながら本発明の電気掃除機をさらに詳細に説明する。図１は本発明の電気掃除機の一実施の形態を示す断面説明図、図２は図１のサイクロン集塵器の断面説明図および図３は図２のサイクロン集塵器のＩＩＩ−ＩＩＩ線断面図である。
【００１２】
図１〜３に示される電気掃除機は、上面に取っ手３が設けられた掃除機の上ケース１と下面に移動用前車輪４および後車輪５が設けられた掃除機の下ケース２とからなる筐体内部に、電池６、下ケース２より直立せしめた壁と緩衝体８を介在して設置されたファンとモータとからなる電動送風機７、およびパッキン２９を介在して着脱自在に設けられたサイクロン集塵装置９を収納したものである。なお、サイクロン集塵装置９は、掃除機本体と一体形成してもよい。
【００１３】
サイクロン集塵装置９は、略円筒状の空間部を有する集塵容器１０と、該集塵容器１０内部にそれぞれ収納された第１の筒状部１１および第２の筒状部１２と、第２の筒状部１２から集塵容器１０の内面に向かって延設される環状の鍔部１３とからなる。
【００１４】
第１の筒状部１１および第２の筒状部１２は、集塵容器１０内部に当該集塵容器１０と略同心状に集塵容器１０の内壁から離間してそれぞれ配設され、外周面に通気孔１１ａおよび１２ａがそれぞれ形成されている。
【００１５】
第１の筒状部１１の通気孔１１ａには、粗ごみをろ過するための比較的目の粗いフィルタが設けられている。粗ごみのためのフィルタとしては、本発明においてとくに限定されるものではないが、たとえば直径２〜３ｍｍ程度の孔を有する合成樹脂製のメッシュフィルタまたはパンチングメタルなどを採用することができる。さらには、筒状部材に直径２〜３ｍｍ程度の開口を多数形成してフィルタ機能をもたせてもよい。
【００１６】
また、第２の筒状部１２の通気孔１２ａには、細かいごみをろ過するための目の細かいフィルタが設けられている。細かい目のフィルタとしては、本発明においてとくに限定されるものではないが、たとえば直径１ｍｍ程度の孔を有する合成樹脂製のメッシュフィルタまたはパンチングメタルなどを採用することができる。さらには、筒状部材に直径１ｍｍ程度の開口を多数形成してフィルタ機能をもたせてもよい。
【００１７】
また、本実施の形態では、第１の筒状部１１および第２の筒状部１２が一体に形成されており、第１の筒状部１１の先端部および第２の筒状部１２の先端部がそれぞれ集塵容器１０の内壁に形成された環状のリブ１０ａに嵌合している。そのため、集塵容器１０の凹凸嵌合による連結部１０ｂの部分で集塵容器１０の蓋部と胴部とを分離すれば、第１の筒状部１１および第２の筒状部１２を容器外部に取り出して、第１の筒状部１１内部の粗ごみおよび集塵容器１０内部の細かいごみを容易に捨てることができる。また、環状のリブ１０ａによって第１の筒状部１１の先端部および第２の筒状部１２を正確に集塵容器１０内部に同心状に固定することができる。
【００１８】
第１の筒状部１１の内部は、集塵容器１０に形成された吸気口１０ｃに連通しており、一方、第２の筒状部１２の内部は、集塵容器１０から空気を排出するための排気口１０ｄに連通している。
【００１９】
また、第１の筒状部１１と集塵容器１０の内壁とのあいだの環状の空間１４を通過する空気を、第２の筒状部１２と集塵容器１０の内壁とのあいだに形成されたサイクロン空間１５内で旋回させるために空気を案内するガイド１６が、第１の筒状部１１の外周面に設けられている。
【００２０】
本実施の形態のガイド１６は、第１の筒状部１１の外周面において、第１の筒状部１１の軸心方向に対して所定の角度だけねじれて設けられた複数枚のリブからなる。隣接する２枚のリブのあいだを通って案内される空気は、サイクロン空間１５内で旋回流となる。
【００２１】
ガイド１６は、第１の筒状部１１の外周面に突設されているため、集塵容器１０内部の構造は簡単になり、しかも、合成樹脂などで作製する際に型抜きが容易になるため、ガイド１６の形状も自由に設計することができる。
【００２２】
また、サイクロン集塵装置９は、サイクロン空間１５内部で発生する旋回流の回転軸がほぼ水平方向に延びるように横置きに配置されているため、集塵装置を小型にすることができるとともにサイクロン集塵装置９の吸気口１０ｃから排気口１０ｄまでの集塵装置内部の空気の流れを円滑にすることができる。なお、サイクロン集塵装置９を縦置きに配置することも可能である。
【００２３】
また、本実施の形態では、排気口１０ｄに２次フィルタ１７が取り付けられている。２次フィルタ１７は、集塵容器１０の外面側に当接され、中央が開口された押え蓋１８によって周辺部が固定されている。
【００２４】
２次フィルタ１７は、フィルタの機能を有するものであれば本発明においてとくに限定されるものではないが、たとえばウレタンフォーム製フィルタ、好ましくは密度７０〜９０ｋｇ／ｍ３程度のイノアック・コーポレーション製の「モルトフィルタ（商品名）」などを採用することができる。
【００２５】
前記実施の形態において、図１に示されるように、電動送風機７が作動すると、吸込口１９に接続したホース（図示せず）を経て床用吸込口（図示せず）から塵埃を含んだ空気がサイクロン集塵装置９の吸気口１０ｃから第１の筒状部１１内部に導入される。
【００２６】
本実施の形態では、第１の筒状部１１内部の空気が、第１の筒状部１１の全周にわたって形成された通気孔１１ａを通り、通気孔１１ａに設けられたフィルタによって粗ごみがろ過されたのち環状の空間１４に放出される。そのため、通気孔１１ａおよびそれに設けられたフィルタは、従来よりも広い面積を確保することができるため、目詰まりがしにくく、空気の流れが非常によい。また、空気が、環状の空間１４に均一に放出されるため、乱流になりにくく、サイクロン空間１５の旋回流を効率よく発生させることができる。
【００２７】
ろ過された粗ごみは、第１の筒状部１１内部に捕集されるが、捕集される粗ごみは、吸気口１０ｃから吸引される空気により圧縮されるため、より多くのごみを蓄積することができ、ごみ捨て回数を減らすことができる。
【００２８】
ついで、環状の空間１４内部の空気はガイド１６によって案内されて旋回流となってサイクロン空間１５に導入され、ついで集塵容器１０の内周壁に沿って塵埃は空気と分離され、鍔部１３と集塵容器１０の内壁とのあいだの間隙２０を通り、鍔部１３によってサイクロン空間１５と仕切られた集塵部２１に集塵される。
【００２９】
ここで、鍔部１３と集塵容器１０の内壁との間隙２０は、狭いほどいわゆるサイクロン効果（遠心分離効果）を発揮し、集塵部２１に細かい塵埃を捕集する効率も高くなる。本実施の形態では、大きな粗ゴミは、すでに第１の筒状部１１によって捕集されているため、粗ごみの目詰まり、および目詰まりによる気流の乱れの影響を受けることなく、間隙２０を狭めてサイクロン効果および捕集効率を向上させることができる。
【００３０】
一方、前述した旋回流によって浄化された空気は、フィルタ部１１を通過してさらに浄化され、ついで２次フィルタ１７へ至る。そののち、空気は、２次フィルタ１７でろ過されたのち、電動送風機７を通過して集中排気口（図示せず）から外部へ排気される。
【００３１】
以上、本実施の形態では、本発明の集塵装置を好適に用いた電気掃除機を例にあげて説明したが、本発明の集塵装置はこれに限定されるものではなく、電気掃除機以外の集塵機能を備えた他の装置にも適用することができる。
【００３２】
【発明の効果】
本発明によれば、集塵容器内部において、吸気側の第１の筒状部と集塵容器の内壁とのあいだの空間を通過する空気を、排気側の第２の筒状部と集塵容器の内壁とのあいだに形成されたサイクロン空間内で旋回させるために空気を案内するガイドを備えているため、構成が簡単で、しかも塵埃分離効率を向上させることができる。
【図面の簡単な説明】
【図１】本発明の電気掃除機の一実施の形態を示す断面説明図である。
【図２】図１のサイクロン集塵器の断面説明図である。
【図３】図２のサイクロン集塵器のＩＩＩ−ＩＩＩ線断面図である。
【符号の説明】
９　サイクロン集塵装置
１０　集塵容器
１１　第１の筒状部
１２　第２の筒状部
１５　サイクロン空間
１６　ガイド
【図１】
2004129852.tif 000003
【図２】
2004129852.tif 000004
【図３】
2004129852.tif 000005